(57)【要約】【課題】プラントの操作員間における情報伝達を正確に行うことができるグラフィカルユーザインタフェース装置を提供することを目的とする。【解決手段】出力装置（２１０）の画面に表示される表示要素の識別記号（６３０）および表示要素に対して入力実施がされた際に出力される入力信号の識別記号（６２０）を含む表示要素グルーピングデータ（６００）を登録する表示要素グルーピングデータベース（１２０）と、表示要素が強調される強調表示を実行する表示要素を選択する表示選択装置（１１０）と、強調表示が適用される出力装置（２１０）の識別記号（７３０）および入力信号の識別記号（６２０）を含む出力先設定データ（７００）を登録する出力先設定データベース（１４０）と、検索された出力装置（２１０）に対して前記表示選択装置が選択した表示要素を強調する強調指令信号を送信する表示制御装置（１３０）とを備えた。
2011040049.tif 000002
【特許請求の範囲】
【請求項１】
プラントの監視情報を表示する複数の出力装置を制御するグラフィカルユーザインタフェース装置であって、
前記出力装置の画面に表示される表示要素の識別記号および前記表示要素に対して入力が実施された際に出力される入力信号の識別記号を含む表示要素グルーピングデータを登録する表示要素グルーピングデータベースと、
前記入力信号の識別記号に基づいて前記表示要素グルーピングデータベースを検索し、前記表示要素が強調される強調表示を実行する前記表示要素を選択する表示選択装置と、
前記強調表示が適用される前記出力装置の識別記号および入力信号の識別記号を含む出力先設定データを登録する出力先設定データベースと、
前記入力信号の識別記号に基づいて前記出力先設定データベースを検索し、検索された前記出力装置に対して前記表示選択装置が選択した前記表示要素を強調する強調指令信号を送信する表示制御装置とを備えたグラフィカルユーザインタフェース装置。
【請求項２】
前記出力先設定データは、前記入力信号の出力を伴う入力実施がされた出力装置の識別記号と、前記入力実施がされなかった出力装置の識別記号とを含むことを特徴とした請求項１記載のグラフィカルユーザインタフェース装置。
【請求項３】
前記出力先設定データは、出力先である前記表示選択装置を決定する条件データを含むことを特徴とした請求項１または２に記載のグラフィカルユーザインタフェース装置。
【請求項４】
前記表示要素グルーピングデータは、前記入力信号の出力を伴う入力実施がされた表示要素の識別記号と、前記入力実施がされた表示要素に関連する表示要素の識別記号とを含むことを特徴とした請求項１乃至３のいずれか１項に記載のグラフィカルユーザインタフェース装置。
【請求項５】
前記表示要素グルーピングデータは、前記強調表示を実行する前記表示要素を決定する条件データを含むことを特徴とした請求項４記載のグラフィカルユーザインタフェース装置。
【請求項６】
前記強調表示が実行された画面である強調表示画像データを蓄積するスナップショットデータベースと、前記強調表示画像データを前記出力先設定データに登録された前記表示選択装置に送信するスナップショット表示装置を有ることを特徴とした請求項１乃至５のいずれか１項に記載のグラフィカルユーザインタフェース装置。
【請求項７】
前記強調表示が実行された画面における操作内容を含む操作履歴データを登録する操作履歴データベースと、前記操作履歴データを前記出力先設定データに登録された前記表示選択装置に送信する操作履歴表示装置を有ることを特徴とした請求項１乃至６のいずれか１項に記載のグラフィカルユーザインタフェース装置。
【発明の詳細な説明】
【技術分野】
【０００１】
この発明は、プラントの監視制御業務を行う際に利用する監視制御システムにおけるグラフィカルユーザインタフェース装置に関するものである。
【背景技術】
【０００２】
近年、発電プラント等において、ハードウェア式の監視制御システムに代わり、ソフトウェア式の監視制御システムの導入が進んでいる。ソフトウェア式の監視制御システムでは、プラント計測値の表示と機器の制御を、グラフィカルユーザインタフェース（ｇｒａｐｈｉｃａｌ  ｕｓｅｒ  ｉｎｔｅｒｆａｃｅ）を用いて行う。ここで、グラフィカルユーザインタフェースとは、プラント監視制御システムにおける入出力環境を提供する機構であって、プラント計測値や運転状態などの監視情報を画面上に表示し、画面上に表示された制御器アイコンをカーソルで選択することで、制御信号を実設備に送信する機構を指すものである。【０００３】
通常、発電プラントの操作員は、役割別に、制御操作担当者と、作業監督者とに分類される。また、通常、安全性確保の観点から、監視制御操作は、一名または複数名の制御操作担当者と、一名または複数名の作業監督者とを含む複数名で実施される。安全性の確保が強く求められる大規模プラントにおいては、操作員が単独で操作を実施するのではなく、複数名の操作員が互いに内容を確認し合いながら、操作を実施することが通例となっている。【０００４】
特許文献１の情報連絡装置には、連絡内容である音声情報を文字情報化することが示されている。従来の情報連絡装置は、情報発信者の音声が音声認識装置により文字情報化され、この文字情報とプラント運転状態を示す情報とを受信相手の端末装置に転送していた。
【先行技術文献】
【特許文献】
【０００５】
【特許文献１】特開平４−３１４１５３号公報（図１）
【発明の概要】
【発明が解決しようとする課題】
【０００６】
しかしながら、グラフィカルユーザインタフェースを提供するグラフィカルユーザインタフェース装置に従来の情報連絡装置を組み合わせたとしても、連絡内容である音声情報を文字情報化するので、一画面の情報量が多い場合には、情報発信者が画面に表示された情報を誤認し、誤った情報を伝達してしまい、正確な情報を監督者に伝達できない問題があった。【０００７】
この発明は、プラントの操作員間における情報伝達を正確に行うことができるグラフィカルユーザインタフェース装置を提供することを目的とする。
【課題を解決するための手段】
【０００８】
出力装置の画面に表示される表示要素の識別記号および表示要素に対して入力が実施された際に出力される入力信号の識別記号を含む表示要素グルーピングデータを登録する表示要素グルーピングデータベースと、入力信号の識別記号に基づいて表示要素グルーピングデータベースを検索し、表示要素が強調される強調表示を実行する表示要素を選択する表示選択装置と、強調表示が適用される出力装置の識別記号および入力信号の識別記号とを含む出力先設定データを登録する出力先設定データベースと、入力信号の識別記号に基づいて出力先設定データベースを検索し、検索された出力装置に対して表示選択装置が選択した表示要素を強調する強調指令信号を送信する表示制御装置とを備えた。
【発明の効果】
【０００９】
この発明に係るグラフィカルユーザインタフェース装置は、プラントの操作員間における情報伝達を正確に行うことができる。
【図面の簡単な説明】
【００１０】
【図１】この発明の実施の形態１におけるプラント監視制御システムのブロック図である。
【図２】図１の入出力装置の配置及び操作員を示す図である。
【図３】図１の入出力装置の画面を示す図である。
【図４】図３の監視画面表示部の表示例である。
【図５】図４の表示例における強調表示を説明する図である。
【図６】図１のグラフィカルユーザインタフェース装置の表示要素グルーピングデータの内容例を示す説明図である。
【図７】図１のグラフィカルユーザインタフェース装置の出力先設定データの内容例を示す説明図である。
【図８】この発明の実施の形態２における表示要素グルーピングデータの内容例を示す説明図である。
【図９】この発明の実施の形態３における出力先設定データの内容例を示す説明図である。
【図１０】この発明の実施の形態４における監視制御システムのブロック図である。
【図１１】図１０の入出力装置の副画面表示部における履歴画像データの表示例を説明する図である。
【図１２】この発明の実施の形態５における監視制御システムのブロック図である。
【図１３】図１２のグラフィカルユーザインタフェース装置の表示要素グルーピングデータの内容例を示す説明図である。
【図１４】図１２の入出力装置の副画面表示部における操作履歴データの表示例を説明する図である。
【発明を実施するための形態】
【００１１】
実施の形態１．
図１はこの発明の実施の形態１におけるプラント監視制御システムのブロック図である。プラント監視制御システムは、グラフィカルユーザインタフェース装置１００と、入出力装置２１０ａ、２１０ｂ、２１０ｃと、入出力制御装置２２０と、中央制御装置２３０と、プラント制御装置２４０と、プラント機器２５０ａ、２５０ｂ、２５０ｃとから構成されている。図２は図１の入出力装置の配置及び操作員を示す図であり、図３は図１の入出力装置の画面を示す図である。大型表示装置８１０は正面前方に配置される。黒丸で示す２人の操作担当者８４０ａ、８４０ｂは、それぞれ監視制御操作用の入出力装置２１０ａ、２１０ｂが置かれた作業机８３０ａ、８３０ｂにて作業を行う。白丸で示す作業監督者８５０は、監視制御操作用の入出力装置２１０ｃが置かれた作業机８３０ｃにて監督作業を行う。何れの操作員も、大型表示装置８１０の方向を向いており、前列に操作担当者、後列に監督者が位置している。
【００１２】
図３に示す入出力装置の画面は、主画面表示部４１０と、表示の有無が選択可能な副画面表示部４１５とを有する。主画面表示部４１０は、監視画面表示部３１０と、画面名表示部３４０と、切替えスイッチ部３３０を有する。切替えスイッチ部３３０は、複数の画面を切替える４つの切替えスイッチ３３１ａ、３３１ｂ、３３１ｃ、３３１ｄを有する。主画面表示部４１０は、全体がタッチパネルデバイスを備え、いわゆるタッチパネルになっている。入出力装置２１０ａ〜２１０ｃにおける監視画面表示部３１０には、プラント計測値や運転状態が表示してあり、操作員は担当する入出力装置２１０ａ〜２１０ｃより得られた情報を元に、プラントの状態を把握し、運転を決定する。プラント操作は、入出力装置２１０ａ〜２１０ｃ上に表示されたソフトウェアスイッチを用いて実施される。副画面表示部４１５は、表示不要の場合には副画面表示部４１５は表示されず、入出力装置２１０ａ〜２１０ｃの画面は主画面表示部４１０のみが表示される。
【００１３】
入出力制御装置２２０は、中央制御装置２３０より出力された計測値データを、入出力装置２１０ａ〜２１０ｃに送信するための信号制御と、操作員が入出力装置２１０ａ〜２１０ｃを用いて入力した情報を、中央制御装置に２３０に送信するための信号制御を生成する装置である。
【００１４】
中央制御装置２３０は、プラントから収集された計測値データを集積し、集積した計測値を元に、デジタル値データや、警報データなどを作成して入出力制御装置２２０に対して出力したり、新たな制御信号を作成してプラント制御装置２４０に対して出力したりする機能を持つ。また、中央制御装置２３０は、操作員が入出力装置２１０ａ〜２１０ｃを用いて入力された操作信号を基に、画面表示の変更指示を入出力制御装置２２０に出力したり、入力された制御信号をプラント制御装置２４０に対して出力したりする機能を持つ。
【００１５】
プラント制御装置２４０は、中央制御装置２３０より出力された信号を、プラント機器２５０ａ〜２５０ｃに送信するための信号制御と、プラント機器２５０ａ〜２５０ｃに設置された計測器より出力された計測値データを、中央制御装置２３０に送信するための信号制御を生成する装置である。
【００１６】
プラント機器２５０ａ〜２５０ｃは、プラント制御装置２４０から出力された信号を受けて、設定値など、各々の状態を変更するものである。また、プラント機器２５０ａ〜２５０ｃに設置された計測器より各々の計測値データを収集し、プラント制御装置２４０に対して出力するものである。
【００１７】
グラフィカルユーザインタフェース装置１００は、表示選択装置１１０、表示要素グルーピングデータベース１２０、表示制御装置１３０、出力先設定データベース１４０から構成されている。
【００１８】
表示要素グルーピングデータベース１２０には、後述する表示要素グルーピングデータ６００が登録されている。表示選択装置１１０は、中央制御装置２３０より転送される入力信号と、表示要素グルーピングデータベース１２０に登録されている表示要素グルーピングデータ６００を用いて、監視画面に表示される項目の中から、強調表示を実施する項目を選定するものである。
【００１９】
出力先設定データベース１４０には、後述する出力先設定データ７００が登録されている。表示制御装置１３０は、表示選択装置１１０より転送される入力信号の中から入力が実施された入出力装置のＩＤ（識別記号）を抽出し、出力先設定データ７００に登録された入出力装置２１０に対し、表示選択装置１１０から転送される表示要素の表示を強調する強調指令信号を、中央制御装置２３０に向けて送信する。
【００２０】
グラフィカルユーザインタフェース装置１００の機能について述べる。図４はプラント監視制御システムの入出力画面の一例を示したものである。図４では、プラントの系統情報を模式的にあらわした系統図３１１と、プラント機器に設置された計測器にて収集された計測値データ３１２ａ、３１２ｂ、３１２ｃ、３１２ｄと、それぞれの計測値データ３１２ａ〜３１２ｄのプラント計測値ラベル３１３ａ、３１３ｂ、３１３ｃ、３１３ｄが表示される。系統図３１１は、例えばプラント機器２５０ａの機器Ａ〜機器Ｄの四つの機器で構成された例を示しており、正方形で表され、それぞれの機器を示す機器シンボル３１４ａ、３１４ｂ、３１４ｃ、３１４ｄが表示されている。プラント計測値ラベル３１３ａ〜３１３ｄは、計測値データ３１２ａ〜３１２ｄを、各々の内容を文字や記号を用いて説明するものである。プラント計測値ラベル３１３ａ〜３１３ｄの記号である■は、危機の状態を示しており、故障した際に色が変更される。
【００２１】
系統図３１１は機器Ａ〜機器Ｄの四つの機器で構成されており、それぞれの機器の計測値が３１２ａ〜３１２ｄに対応し、それらのプラント計測値ラベルが３１３ａ〜３１３ｄに対応している。系統図３１１に図示された１２個の表示要素（３１２ａ〜３１２ｄ、３１３ａ〜３１３ｄ、３１４ａ〜３１４ｄ）は、固有のＩＤが割り振られている。プラント監視制御システムには、図４のような系統図画面の他に、グラフ表示画面、警報画面など、多くの画面が用意されており、操作員は必要に応じて、切替えスイッチ３３１ａ〜３３１ｄを押して画面を切り替えながら監視制御業務を行う。
【００２２】
操作担当者８４０ａが、入出力画面２１０ａ上の計測値データ３１２ａの値を触った場合を考える。図５は、図４の表示例における強調表示を説明する図である。制御操作担当者８４０ａが、指示位置３２０で示すように入出力画面上の計測値データ３１２ａの値の部分を押下した場合、計測値データ３１２ａの部分の背景色が変更された強調表示がなされる。さらに後述するように、表示要素グルーピングデータ６００に表示要素ＩＤとして登録されている他の表示要素であるプラント計測値ラベル３１３ａと、系統図３１１のうち機器Ａを示す機器シンボル３１４ａが強調される。
【００２３】
強調表示は、ハイライト、フリッカ、太文字表示等を用いることができる。ハイライトの場合は、表示要素の背景色、枠線、文字等を明るい色（赤色など）に変更する。フリッカの場合は、表示要素の背景色、枠線、文字を点滅表示する。太字表示の場合は、表示要素の枠線、文字を太字で表示する。
【００２４】
図６は、表示要素グルーピングデータの内容例を示す説明図である。表示要素グルーピングデータ６００には、表示要素グループＩＤ６１０毎に、入力信号ＩＤ６２０と、表示要素ＩＤ６３０ａ〜６３０ｃが登録されている。表示要素ＩＤの登録数は任意の数である。図４及び５の系統図の場合は、機器シンボル３１４、計測値データ３１２、プラント計測値ラベル３１３の３つが一組みとされ、表示要素ＩＤの列の登録数は３つである。図６では、分かりやすくするために、各グループの表示要素ＩＤ６３０ａ〜６３０ｃを図５に示した符号を用いて表現した。
【００２５】
プラント計測値ラベル３１３ａ２、３１３ｂ２、３１３ｃ２、３１３ｄ２は、入出力装置２１０ｂに表示された監視画面表示部３１０のプラント計測値ラベルであり、各グループにおけるその表示要素ＩＤ６３０ａである。計測値データ３１２ａ２、３１２ｂ２、３１２ｃ２、３１２ｄ２は、入出力装置２１０ｂに表示された監視画面表示部３１０の計測値データであり、各グループにおけるその表示要素ＩＤ６３０ｂである。機器シンボル３１４ａ２、３１４ｂ２、３１４ｃ２、３１４ｄ２は、入出力装置２１０ｂに表示された監視画面表示部３１０の機器シンボルであり、各グループにおけるその表示要素ＩＤ６３０ｃである。また、プラント計測値ラベル３１３ａ３、３１３ｂ３、３１３ｃ３、３１３ｄ３は、入出力装置２１０ｃに表示された監視画面表示部３１０のプラント計測値ラベルであり、各グループにおけるその表示要素ＩＤ６３０ａである。計測値データ３１２ａ３、３１２ｂ３、３１２ｃ３、３１２ｄ３は、入出力装置２１０ｃに表示された監視画面表示部３１０の計測値データであり、各グループにおけるその表示要素ＩＤ６３０ｂである。機器シンボル３１４ａ３、３１４ｂ３、３１４ｃ３、３１４ｄ３は、入出力装置２１０ｃに表示された監視画面表示部３１０の機器シンボルであり、各グループにおけるその表示要素ＩＤ６３０ｃである。
【００２６】
実施の形態１では、入出力装置２１０は３台であり、それぞれの入出力装置２１０に表示される系統図の表示要素は、異なる表示要素ＩＤを有している。表示要素グループＩＤ６１０の１〜４は入出力装置２１０ａに対応し、表示要素グループＩＤ６１０の５〜８は入出力装置２１０ｂに対応し、表示要素グループＩＤ６１０の９〜１２は入出力装置２１０ｃに対応する。機器Ａ〜機器Ｄの計測値の入力信号に対し、別の画面に表示されている機器Ａ〜機器Ｄの計測値のＩＤを登録しておくことで、対象の計測値の表示を全ての入出力装置２１０に対して一度に強調することができる。
【００２７】
図７は、出力先設定データの内容例を示す説明図である。出力先設定データ７００には出力先グループＩＤ７１０毎に、入力元ＩＤ７２０と、出力先ＩＤ７３０ａ〜７３０ｃが登録されている。入力元ＩＤ７２０は入力が実施された、すなわち入力信号が出力された入出力装置２１０のＩＤを意味する。出力先ＩＤ７３０ａ〜７３０ｃは、入力信号に対する表示指示信号が出力される出力先の入出力装置のＩＤを意味する。入出力装置２１０ａのＩＤはｍ００１であり、入出力装置２１０ｂのＩＤはｍ００２であり、入出力装置２１０ｃのＩＤはｍ００３である。
【００２８】
出力先グループＩＤ７１０のグループ１は、ＩＤがｍ００１である入出力装置２１０ａで出力された信号に対する表示指示信号が、ｍ００１である入出力装置２１０ａと、ｍ００３である入出力装置２１０ｃに出力されることを意味する。したがって、ＩＤがｍ００１の入出力装置２１０ａにおける操作担当者８４０ａの操作内容は、操作担当者８４０ａ本人と、ＩＤがｍ００３である入出力装置２１０ｃにおける作業監督者８５０に送信され、ＩＤがｍ００２である入出力装置２１０ｂにおける操作担当者８４０ｂには送信されない。
【００２９】
操作担当者８４０ａが、入出力画面上の計測値データ３１２ａの値を触った場合、それを示す入力信号は、入出力制御装置２２０と中央制御装置２３０を経由して、グラフィカルユーザインタフェース装置１００に転送される（ステップＳ００１）。ここで、入力信号には各入力信号に固有の入力信号ＩＤ、表示要素である計測値データ３１２ａに対して入力が実施された入出力装置に固有のＩＤ、表示している画面ＩＤ、入力が実施された時刻、操作員ＩＤ（システムログインＩＤ）などを含む。表示要素である計測値データ３１２ａに対する入力の実施とは、操作担当者８４０ａが特定の表示要素（計測値データ３１２ａ）を選択したことを意味する。
【００３０】
表示選択装置１１０は、中央制御装置２３０より転送される入力信号の中から入力信号ＩＤを抽出し、表示要素グルーピングデータ６００の入力信号ＩＤ６２０と一致するものを検索する（ステップＳ００２）。ここで、中央制御装置２３０より転送される入力信号ＩＤがＳ００１Ａであるとすると、図６のグループＩＤが１（図６の最上段）のデータが選択される。
【００３１】
表示選択装置１１０は、選択されたグループＩＤ６１０のデータの内、表示要素のＩＤ６３０ａ〜６３０ｃが示す表示要素の表示を強調する指令信号と、中央制御装置２３０より転送された入力信号を、表示制御装置１３０へ送信する（ステップＳ００３）。
【００３２】
表示制御装置１３０は、表示選択装置１１０より転送される入力信号の中から入力が実施された入出力装置のＩＤを抽出し、出力先設定データ７００の入力元ＩＤ７２０と一致するものを検索する（ステップＳ００４）。ここで、中央制御装置２３０より転送される入力元装置のＩＤがｍ００１である場合には、出力先グループＩＤ７００がグループ１のデータが選択される。
【００３３】
表示制御装置１３０は、選択されたグループＩＤ７１０のデータの内、出力先ＩＤ７３０ａ〜７３０ｃが示す入出力装置２１０に対し、表示選択装置１１０から転送される表示要素の表示を強調する強調指令信号を、中央制御装置２３０及び入出力制御装置２２０を介して送信する（ステップＳ００５）。
【００３４】
強調指令信号は、中央制御装置２３０及び入出力制御装置２２０を介して、出力先グループＩＤ７００に登録された入出力装置２１０に受信される（ステップＳ００６）。強調指令信号を受信した後の入出力装置２１０ａの画面は図５に示すような強調表示が実施される（ステップＳ００７）。操作担当者８４０ａが、入出力画面上の計測値データ３１２ａの値の部分を押下したので、計測値データ３１２ａの部分の背景色が変更されると言う強調表示に加えて、表示要素グルーピングデータ６００に表示要素ＩＤとして登録されているプラント計測値ラベル３１３ａと、系統図３１１の機器Ａを示す機器シンボル３１４ａが強調される。
【００３５】
また、操作担当者８４０ａが見ている入出力装置２１０ａ上で、強調表示がなされるのに加えて、出力先設定データ７００に出力先ＩＤとして登録されている他の入出力装置についても強調表示がなされる（ステップＳ００８）。他の入出力装置２１０ｃにおいて、作業監督者８５０が系統図３１１を見ていた場合は、強調指令信号を受信すると図５のように強調表示がされる。作業監督者８５０が系統図３１１を見ていなかった場合は、強調指令信号を受信しても系統図３１１に自動的に切り替わらない。入出力装置２１０ｃが強調指令信号を受信後に、作業監督者８５０が切替えスイッチ３３１を操作して系統図３１１を展開した際に、図５のように強調表示がされる。
【００３６】
一般に、一画面上の情報量が多くなると、表示要素同士の距離が近接して表示される。このような場合、プラント計測値ラベル３１３ａ〜３１３ｄの表示は、各々対応する計測値データ３１２ａ〜３１２ｄの近傍に配置されるが、情報量が多い画面においては、レイアウト上、プラント計測値ラベルが、対応する計測値データに加えて、別の計測値データの近傍に配置される可能性がある。図４の画面例で言うと、ラベル３１３ａは、計測値データ３１２ａを示すものであるが、レイアウトの関係により計測値３１２ｂの近傍にも配置されている。このような場合、操作員は、ラベル３１３ａに対応する計測値データを読もうとして、計測値データ３１２ａの代わりに、誤って計測値データ３１２ｂを読んでしまう可能性がある。
【００３７】
実施の形態１のプラント監視システムでは、計測値データ３１２と、計測値ラベル３１３とを、表示要素グルーピングデータ６００の同じ表示要素グループに登録することで、計測値データ３１２ａの表示部分を押下した場合、図５のように関連する表示要素として、計測値データ３１２ａ、ラベル３１３ａ、及び機器シンボル３１４ａを強調表示することができる。このことによって、操作員は、ラベル３１３ａに対応するプラント計測値を正しく確認でき、読み違えによる操作ミスを抑制する効果がある。さらに作業監督者や他の操作担当者に、正確な情報を伝達することができる。
【００３８】
図２のように、一人の作業監督者８５０に対し、二人のプラント操作担当者８４０ａ、８４０ｂが、互いに離れた位置で操作を行う場合を考える。互いの操作内容を目視で確認できないため、口頭による作業指示と確認のやり取りが行われる。このとき、担当者と監督者の一方に誤認が発生すると、互いがどの画面を閲覧しているか、更には、画面上のどの部分に注目しているか等を即座に確認できない。このため、正しい情報伝達がされないので、混乱に陥る可能性がある。
【００３９】
実施の形態１のプラント監視システムでは、操作担当者８４０ａ、８４０ｂの入出力装置２１０ａ、２１０ｂのＩＤと、作業監督者８５０の入出力装置２１０ｃのＩＤを、出力先設定データ７００の同じ出力先グループに登録することで、図５に示したように画面の強調表示をプラント操作担当者８４０ａの入出力画面２１０ａ（出力先ＩＤｍ００１）上だけでなく、出力先設定データ７００のグループ１に登録された作業監督者８５０の入出力画面２１０ｃ（出力先ＩＤｍ００３）上に表示することができる。口頭による確認に加えて、視覚的にも操作内容が確認できるため、互いの操作内容が目視できないことに起因する誤解を、抑制する効果がある。したがってプラントの操作員間における情報伝達を正確に行うことができる。
【００４０】
また、図２のように、一人の作業監督者８５０に対し、二人のプラント操作担当者８４０ａ、８４０ｂがおり、二人の操作担当者８４０ａ、８４０ｂが互いに独立した異なる操作を実施している場合を考える。一人の操作担当者８４０ａの操作情報と、入出力画面の強調表示は、もう一人の操作担当者８４０ｂにとって不要な情報であり、かえって混乱を招く可能性がある。実施の形態１のプラント監視システムでは、出力先設定データ７００においてグループ１を設定することにより、一人の操作担当者８４０ａの操作内容は、当人８４０ａと作業監督者８５０のみに表示し、もう一人の操作担当者８４０ｂの入出力画面上には表示しないように設定することができる。そのため、互いの操作が干渉することなく、操作を実施することができる。
【００４１】
以上のように実施の形態１のグラフィカルユーザインタフェース装置１００によれば、出力装置２１０の画面に表示される表示要素の識別記号６３０および表示要素に対して入力が実施された際に出力される入力信号の識別記号６２０を含む表示要素グルーピングデータ６００を登録する表示要素グルーピングデータベース１２０と、入力信号の識別記号６２０に基づいて表示要素グルーピングデータベース１２０を検索し、表示要素が強調される強調表示を実行する表示要素を選択する表示選択装置１１０と、強調表示が適用される出力装置２１０の識別記号７３０および入力信号の識別記号６２０を含む出力先設定データ７００を登録する出力先設定データベース１４０と、入力信号の識別記号６２０に基づいて出力先設定データベース１４０を検索し、検索された出力装置２１０に対して前記表示選択装置が選択した表示要素を強調する強調指令信号を送信する表示制御装置１３０とを備えたので、プラントの操作員間における情報伝達を正確に行うことができる。
【００４２】
なお、実施の形態１では、入出力装置２１０ａ〜２１０ｃはタッチパネルデバイスを用いて、入力機能及び出力機能を一つの図形で表したが、入力装置と出力装置を分離して設置しても良い。入力装置は、ポインティングデバイスであるマウスやトラックボール、キーボード、リモートコントローラ等を用いることができる。ポインティングデバイスの場合は、ポインタで対象を選択し、スイッチをクリックにより信号が発生する。キーボードの場合は、カーソルで対象を選択し、設定された決定キーを押下することにより信号が発生する。リモートコントローラの場合は、ポインタで対象を選択し、スイッチをクリックにより信号が発生する。
【００４３】
実施の形態２．
実施の形態１では、表示要素に対して入力が実施された際に、強調表示がされる例で説明したが、表示要素の組合せに条件を追加することで、状況に応じて、強調表示する表示要素の組合せを変更することができ、認知性の向上を実現することができる。以下に説明する。
【００４４】
図８は、この発明の実施の形態２における表示要素グルーピングデータの内容例を示す説明図である。表示要素グルーピングデータ６０１は、監視制御システム向けグラフィカルユーザインタフェース装置１００内の表示要素グルーピングデータベース１２０に登録されている。図６とは表示要素グループ選択の条件データ６４０ａ、６４０ｂが追加された点で異なる。表示要素グルーピングデータ６００内の表示要素グループＩＤ６１０毎に、表示要素グループ選択の条件データ６４０ａ〜６４０ｂを設けている。なお、表示要素ＩＤ６３０は、追加の強調表示が為される表示要素を追加している。表示要素グループＩＤ６１０が１〜８については、表示要素ＩＤ６３０ａ〜６３０ｃは図６と同様である。表示要素グループＩＤ６１０が２０〜２３は、機器Ａと機器Ｃを同時に強調表示する場合のものである。
【００４５】
条件データ６４０ａ〜６４０ｂには、それぞれ、ユーザによって、ＩＦ〜ＴＨＥＮ〜形式などの条件文が登録されている。条件文の内容としては、ある計測値が決められた範囲にあるとか、ある信号が発信されているとか言ったものを用いることができる。
【００４６】
表示選択装置１１０は、中央制御装置２３０より転送される入力信号より、表示要素グループＩＤ６１０を選択した後に、条件データ６４０内の条件式の変数値を、中央制御装置２３０から取得する。条件データ６４０ａ〜６４０ｂが全て成立している場合に限り、表示選択装置１１０は、選択されたグループＩＤ６１０のデータの表示要素のＩＤ６３０ａ〜６３０ｆに示された表示要素の表示を強調する強調指令信号と、中央制御装置２３０より転送された入力信号を、表示制御装置１３０へ送信する。
【００４７】
一般に、状況によって、入出力画面上で確認すべき値の組み合わせは異なる。図４の例を用いて説明する。ある事故が発生した場合に注目すべき値は、機器Ａの計測値３１２ａのみであっても、別の事故が発生した場合に注目すべき値は、機器Ａの計測値３１２ａと、機器Ｃの計測値３１２ｃの二つである場合がある。
【００４８】
このような場合に適切に強調表示を行うために、表示要素グループ選択の条件データ６４０ａ、６４０ｂを設定する。Ｘ０は何れの事故事象も成立していないことを表わしており、Ｘ１は中央制御装置２３０が保有している事故事象Ａの判定条件が成立していることを表わしている。Ｙ１は操作担当者８４０ａが操作を実施していることを表わしており、Ｙ２は操作担当者８４０ｂが操作を実施していることを表わしている。表示要素グループＩＤ６１０が１〜８については、実施の形態１と同様な強調表示が実現できる。
【００４９】
操作担当者８４０ａが、入出力画面上の計測値データ３１２ａの値を触った場合を考える。表示選択装置１１０は、中央制御装置２３０より転送される入力信号の中から入力信号ＩＤを抽出し、表示要素グルーピングデータ６０１の入力信号ＩＤ６２０と一致するものを検索する（ステップＳ２０１）。次ぎに、表示要素グループ選択の条件データ６４０ａ、６４０ｂを判定する（ステップＳ２０２）。事故事象Ａの判定条件が成立している場合には、表示要素グループ選択の条件データ６４０ａの条件Ｘ１と表示要素グループ選択の条件データ６４０ｂの条件Ｙ１が共に成立するので、表示要素グループＩＤ６１０のグループ２０が検索される。
【００５０】
表示選択装置１１０は、中央制御装置２３０より転送される入力信号と、表示要素グルーピングデータベース１２０に登録されている表示要素グルーピングデータ６０１を用いて、監視画面に表示される項目の中から、強調表示を実施する項目を選定する（ステップＳ２０３）。
【００５１】
表示選択装置１１０は、選択されたグループＩＤ６１０のデータの内、表示要素のＩＤ６３０ａ〜６３０ｆがＤ６３０ａ〜６３０ｆに示された表示要素の表示を強調する強調指令信号と、中央制御装置２３０より転送された入力信号を、表示制御装置１３０へ送信する（ステップＳ２０４）。
【００５２】
強調指令信号は、中央制御装置２３０及び入出力制御装置２２０を介して、出力先グループＩＤ７００に登録された入出力装置２１０に送信され、当該入出力装置２１０は受信される（ステップＳ２０５）。強調指令信号を受信した後の入出力装置２１０ａの画面は図５に示すような強調表示が実施される。操作担当者８４０ａが、入出力画面上の計測値データ３１２ａの値の部分を押下したので、計測値データ３１２ａの部分の背景色が変更されると言う強調表示に加えて、表示要素グルーピングデータ６０１に表示要素ＩＤとして登録されているプラント計測値ラベル３１３ａと、系統図３１１の機器Ａを示す機器シンボル３１４ａが強調される。さらに、表示要素グルーピングデータ６０１に表示要素ＩＤとして登録されている計測値データ３１２ｃと、プラント計測値ラベル３１３ｃと、系統図３１１の機器Ｃを示す機器シンボル３１４ｃが強調される（ステップＳ２０６）。
【００５３】
実施の形態２のグラフィカルユーザインタフェース装置は、表示要素の組合せに条件データを設定できるため、状況に応じて強調表示する表示要素の組合せを変更することができ、認知性の向上を実現することができる。画面上に表示された表示要素の一つを選択すると、選択した表示要素に加え、必要に応じて参照情報を強調表示できる。情報量の多い画面において、必要な内容を強調することで、参照情報を画面の中から探す負荷を軽減でき、認知ミスを抑制することができる。
【００５４】
なお、条件データ６４０ａ〜６４０ｂは、ＩＦ〜ＴＨＥＮ〜形式で説明したが、ＴＨＥＮの内容は強調表示を実行であるため、ＴＨＥＮ以下を省略してもよい。
【００５５】
実施の形態３．
実施の形態１及び２では、出力先設定データ７００に出力先グループ選択の条件データがない場合で説明したが、出力先の組合せに条件データを設定することで、状況に応じて、強調表示を出力する入出力装置の組合せを変更でき、プラント操作性の向上を実現することができる。以下に説明する。
【００５６】
図９は、この発明の実施の形態３における出力先設定データの内容例を示す説明図である。出力先設定データ７０１は監視制御システムのグラフィカルユーザインタフェース装置１００内の出力先設定データベース１４０に登録されている。図７とは出力先グループ選択の条件データ７４０が追加された点で異なる。
【００５７】
出力先設定データ７０１内の出力先グループＩＤ７１０毎に、出力先グループ選択の条件データ７４０を設けている。条件データ７４０には、それぞれ、ユーザによって、ＩＦ〜ＴＨＥＮ〜形式などの条件文が登録されている。条件文の内容としては、ある計測値が決められた範囲にあるとか、ある信号が発信されているとか、入出力装置２１０が正常に稼働しているか等を用いることができる。
【００５８】
表示制御装置１３０は、中央制御装置２３０より転送される入力信号より、出力先グループＩＤ７１０を選択した後に、条件データ７４０内の、条件式の変数値を、中央制御装置２３０から取得する。条件データ７４０が成立している場合、表示制御装置１３０は、選択されたグループＩＤ７１０のデータの内、出力先ＩＤ７３０ａ〜７３０ｃが示す入出力装置に対し、表示選択装置１１０から転送される表示要素の表示を強調する強調指令信号を中央制御装置２３０に向けて送信する。なお、条件データ７４０が複数登録されている場合には、その複数の条件データが全て成立しているときに、強調指令信号を中央制御装置２３０に向けて送信する。
【００５９】
図２のように、一人の作業監督者８５０に対し、二人のプラント操作担当者８４０ａ、８４０ｂがいる場合、通常操作においては互いに別々の操作を実施している。しかし、事故発生時や入出力装置２１０の故障したときなどの緊急時には、二人の操作担当者８４０ａ、８４０ｂが同じ画面（同じ系統図３１１の画面等）で一緒に操作を行うと言った状況が考えられる。例えば、一人の操作員８４０ａが機器Ａ、機器Ｃを操作し、もう一人の操作員８４０ｂが機器Ｂ、機器Ｄの操作を行う等である。また、作業監督者８５０の入出力装置２１０ｃの故障したときは、作業監督者８５０が操作担当者８４０ａ、８４０ｂの入出力装置２１０ａ、２１０ｂを利用して確認を行うが場合もあり得る。
【００６０】
このような場合に適切に強調表示を行うために、出力先設定データの条件データ７４０を設定する。例えば、Ｚ０はＩＤがｍ００３である入出力装置２１０ｃが正常に稼働していることを表わしており、Ｚ１は入出力装置２１０ｃが正常に稼働していないことを表わしている。出力先グループＩＤ７１０が１〜４については、実施の形態１と同様な強調表示が実現できる。
【００６１】
入出力装置２１０ｃが正常に稼働していない状況下で、操作担当者８４０ａが入出力画面上の計測値データ３１２ａの値を触った場合を考える。表示選択装置１１０は、中央制御装置２３０より転送される入力信号の中から入力信号ＩＤを抽出し、表示要素グルーピングデータ６００の入力信号ＩＤ６２０と一致するものを検索する（ステップＳ３０１）。また、入力元ＩＤを抽出し、出力先設定データ７０１の入力元ＩＤ７２０と一致するものを検索する。次ぎに、出力先設定データ７０１の出力先グループ選択の条件データ７４０を判定する。表示選択装置１１０は、中央制御装置２３０に問い合わせを行い、入出力装置２１０の稼働状況情報を取得する（ステップＳ３０２）。入出力装置２１０ｃが正常に稼働していない場合には、出力先グループ選択の条件データ７４０の条件Ｚ１が成立するので、出力先グループＩＤ７１０のグループ５が検索される（ステップＳ３０３）。
【００６２】
表示選択装置１１０は、中央制御装置２３０より転送される入力信号と、表示要素グルーピングデータベース１２０に登録されている表示要素グルーピングデータ６００と、出力先設定データベース１４０に登録されている出力先設定データ７０１を用いて、強調表示を実施する項目を選定し、強調指令信号と、中央制御装置２３０より転送された入力信号を、表示制御装置１３０へ送信する（ステップＳ３０４）。
【００６３】
表示制御装置１３０は、選択されたグループＩＤ７１０のデータの内、出力先ＩＤ７３０ａ〜７３０ｃが示す入出力装置２１０に対し、表示選択装置１１０から転送される表示要素の表示を強調する強調指令信号を、中央制御装置２３０に向けて送信する（ステップＳ３０５）。
【００６４】
強調指令信号は、中央制御装置２３０及び入出力制御装置２２０を介して、出力先グループＩＤ７０１に登録された入出力装置２１０に送信され、当該入出力装置２１０は受信される（ステップＳ３０６）。出力先グループＩＤ７１０のグループ５なので、ＩＤがｍ００１である入出力装置２１０ａとＩＤがｍ００２である入出力装置２１０ｂに、強調指令信号が送信される。強調指令信号を受信した後の入出力装置２１０ａの画面は図５に示すような強調表示が実施される（ステップＳ３０７）。
【００６５】
他の入出力装置２１０ｂにおいて、作業監督者８５０が系統図３１１を見ていた場合は、強調指令信号を受信すると図５のように強調表示がされる（ステップＳ３０８）。作業監督者８５０が系統図３１１を見ていなかった場合は、強調指令信号を受信しても系統図３１１に自動的に切り替わらない。入出力装置２１０ｂが強調指令信号を受信後に、作業監督者８５０が切替えスイッチ３３１を操作して系統図３１１を展開した際に、図５のように強調表示がされる（ステップＳ３０９）。
【００６６】
実施の形態３のグラフィカルユーザインタフェース装置は、出力先の組合せに条件データを設定できるため、状況に応じて、強調表示を出力する入出力装置の組合せを変更でき、プラント操作性の向上を実現することができる。
【００６７】
なお、条件データ７４０は、ＩＦ〜ＴＨＥＮ〜形式で説明したが、ＴＨＥＮの内容は強調表示を実行であるため、ＴＨＥＮ以下を省略してもよい。
【００６８】
実施の形態４．
実施の形態１乃至３では、操作内容や確認した数値等の履歴について説明しなかったが、実施の形態４では操作内容や確認した数値等の履歴を確認できるようにした。図１０はこの発明の実施の形態４における監視制御システムのブロック図である。図１の監視制御システムとは、グラフィカルユーザインタフェース装置１０１がスナップショット表示装置１５０と、スナップショットデータベース１６０とを有する点で異なる。
【００６９】
スナップショット表示装置１５０は、表示制御装置１３０から、画面の表示を変更する画面変更指令ｓｉｇ１が発信されたことを受けて、入出力制御装置２２０から、表示変更直後の入出力画面の画像データｄａ１を取り込み、スナップショットデータベース１６０に蓄積する。また、スナップショット表示装置１５０は、スナップショットデータベース１６０に登録された画像データｄａ１を取得し、履歴画像データとして中央制御装置２３０に送信する。画像履歴データを受信した中央制御装置２３０は、入出力制御装置２２０を通じて、入出力装置２１０ａ〜２１０ｃに履歴画像データを表示する仕組みを有する。
【００７０】
スナップショットデータベース１６０は、入出力装置２１０や操作員ＩＤ毎に履歴データの保存エリアが分割されている。そのため、各入出力装置２１０で異なる内容の表示が可能となる。操作担当者８４０ａの入出力装置２１０ａの画面には操作担当者８４０ａの履歴が表示され、操作担当者８４０ｂの入出力装置２１０ｂの画面には操作担当者８４０ｂの履歴が表示される。監督者８５０は、操作担当者８４０ａの履歴または、操作担当者８４０ｂの履歴を選択して表示できる。
【００７１】
図１１は、図１０の入出力装置の副画面表示部における履歴画像データの表示例を説明する図である。履歴画像データ表示４２０は、図３に示した副画面表示部４１５に表示される。履歴画像データ表示４２０は、時系列順の履歴画像データを縮小表示したものを有している。作業者が各縮小履歴画像データ４２１ａ〜４２１ｃを選択することで、履歴画像を拡大表示して、内容の詳細を確認することができる。
【００７２】
画面変更指令ｓｉｇ１は、画面の強調表示の指示に伴って発生する。実施の形態１で示したように、表示要素に対して入力が実施された際に画面変更指令ｓｉｇ１は発生する。強調表示を行わない画面切り替えの操作などは、履歴画像データであるスナップショットは生成されない。
【００７３】
グラフィカルユーザインタフェース装置１０１の動作について、ユーザである作業者８４０ａが表示要素に対して入力を実施した場合で説明する。スナップショット表示装置１５０は、表示制御装置１３０から、画面の表示を変更する画面変更指令ｓｉｇ１を受信する（ステップＳ４０１）。入出力装置２１０における表示変更直後の入出力画面の画像データｄａ１を取り込み、スナップショットデータベース１６０に蓄積する（ステップＳ４０２）。スナップショット作成装置１５０は、作業者８４０ａが履歴画像データ表示４２０を表示しているかどうかを、中央制御装置２３０に対して確認する（ステップＳ４０３）。
【００７４】
作業者８４０ａが履歴画像データ表示４２０を表示していた場合、スナップショット表示装置１５０は、その情報を受けた後に即時スナップショットデータベース１６０に登録された画像データを中央制御装置２３０に送信する。出力先設定データ７００、７００１に登録された入力元ＩＤ７２０及び出力先ＩＤ７３０ａがｍ００１である入出力装置２１０ａは、履歴画像データ表示４２０が更新される（ステップＳ４０４）。
【００７５】
作業者８４０ａが履歴画像データ表示４２０を表示していない場合は、スナップショット表示装置１５０は、次回作業者８４０ａが履歴画像データ表示４２０を表示したタイミングで、スナップショットデータベース１６０に登録された画像データを中央制御装置２３０に送信する。出力先設定データ７００、７００１に登録された入力元ＩＤ７２０及び出力先ＩＤ７３０ａがｍ００１である入出力装置２１０ａは、履歴画像データ表示４２０が更新される（ステップＳ４０５）。
【００７６】
履歴画像データであるスナップショットには、強調表示が為された画面が記録されるので、計測値の確認、機器の制御操作が記録される。実施の形態４のグラフィカルユーザインタフェース装置は、履歴画像データ表示４２０を表示することで、過去に遡って、操作内容を確認することができる。
【００７７】
実施の形態２に示したように事故等が発生した場合にも、表示要素グルーピングデータ６０１の条件に応じて指差し確認した数値や関連機器の数値を履歴として残すことができる。
【００７８】
履歴画像データであるスナップショットは、操作担当者８４０の一人及び監督者８５０の二名で共有するので、実施の形態３に示したように入出力装置２１０の故障したときなど緊急時には、他の画面にも履歴画像データ表示４２０を出力できる。具体的には、操作担当者８４０ａ及び作業監督者８５０ａ、操作担当者８４０ｂ及び作業監督者８５０ｂの四人態勢で作業を実施する際に、作業監督者８５０ａの画面が故障した場合には、操作担当者８４０ａの履歴を作業監督者８５０ｂの画面上に表示し、監督者作業監督者８５０ｂと作業監督者８５０ｂは画面を共有して確認することができる。
【００７９】
なお、履歴画像データ表示４２０と監視画面表示部３１０に表示される監視制御情報を同じ画面に表示した例で説明したが、履歴情報に関する専用の表示画面を設けても良い。
【００８０】
実施の形態５．
実施の形態４では、操作内容や確認した数値等の履歴を画像データで確認する例で説明したが、実施の形態５では文字情報で履歴を確認できるようにした。図１２はこの発明の実施の形態５における監視制御システムのブロック図である。図１の監視制御システムとは、グラフィカルユーザインタフェース装置１０２が操作履歴表示装置１８０と、操作履歴データベース１７０とを有する点で異なる。
【００８１】
図１３は、図１２のグラフィカルユーザインタフェース装置の表示要素グルーピングデータの内容例を示す説明図である。表示要素グルーピングデータは、表示要素グルーピングデータベース１２０に登録されている。表示要素グルーピングデータ６０２内の表示要素グループＩＤ６１０毎に、操作履歴データ６５０を設けている。操作履歴データ６５０は、入力信号ＩＤ６２０に対応する入出力画面操作の概要である操作内容データを含んでいる。操作履歴データ６５０は文字データとして登録したものであり、操作内容データの他に操作内容データの操作実施時刻、操作員情報、確認した計測値データなどを含めても構わない。図１３の表示要素グルーピングデータ６０２の例は、図６の表示要素グルーピングデータ６００の例に、操作履歴データ６５０を設けたものである。表示要素グループＩＤ６１０の１〜４は入出力装置２１０ａに対応し、表示要素グループＩＤ６１０の５〜８は入出力装置２１０ｂに対応し、表示要素グループＩＤ６１０の９〜１２は入出力装置２１０ｃに対応する。なお、図１３には操作履歴データ６５０として操作内容データのみ表示した。
【００８２】
操作履歴表示装置１８０は、表示制御装置１３０から画面の表示を変更する画面変更指令ｓｉｇ１が発信されたことを受けて、表示要素グルーピングデータ６０２における選択されたグループＩＤ６１０に対応する操作内容データを含む操作履歴データ６５０を操作履歴データベース１７０に登録する。画面変更指令ｓｉｇ１は、画面の強調表示の指示に伴って発生する。また、操作履歴表示装置１８０は、操作履歴データベース１７０に登録された操作履歴データ６５０を取得し、中央制御装置２３０に送信する。操作履歴データ６５０を受信した中央制御装置２３０は、入出力制御装置２２０を通じて入出力装置２１０ａ〜２１０ｃに操作履歴データ６５０を表示する仕組みを有する。
【００８３】
図１４は、図１２の入出力装置の副画面表示部における操作履歴データの表示例を説明する図である。操作履歴データ表示４３０は、図３に示した副画面表示部４１５に表示される。操作履歴データ表示４３０は、操作履歴データを箇条書きにした文字データで表示した個別操作履歴データ４３１ａ〜４３１ｂが時系列順に表示されている。１つの操作履歴に対するデータ量が多い場合には、操作履歴データ表示４３０には、あらかじめユーザによって定められた主要なデータのみ表示し、個別操作履歴データ４３１ａ〜４３１ｂを選択することで、詳細データを表示することができる。
【００８４】
グラフィカルユーザインタフェース装置１０２の動作について、ユーザである作業者８４０ａが表示要素に対して入力を実施した場合で説明する。操作履歴表示装置１８０は、表示制御装置１３０から、画面の表示を変更する画面変更指令ｓｉｇ１を受信する（ステップＳ５０１）。入出力装置２１０の表示変更直後の内容であって、表示要素グルーピングデータ６０２に記載してある操作履歴データ６５０を操作履歴データベース１７０に登録する（ステップＳ５０２）。操作履歴表示装置１８０は、作業者８４０ａが操作履歴データ表示４３０を表示しているかどうかを、中央制御装置２３０に対して確認する（ステップＳ５０３）。
【００８５】
作業者８４０ａが操作履歴データ表示４３０を表示していた場合、操作履歴表示装置１８０は、その情報を受けた後に即時操作履歴データベース１７０に登録された操作履歴データ６５０を中央制御装置２３０に送信する。出力先設定データ７００、７００１に登録された入力元ＩＤ７２０及び出力先ＩＤ７３０ａがｍ００１である入出力装置２１０ａは、操作履歴データ表示４３０が更新される（ステップＳ５０４）。
【００８６】
作業者８４０ａが操作履歴データ表示４３０を表示していない場合は、操作履歴表示装置１８０は、次回作業者８４０ａが操作履歴データ表示４３０を表示したタイミングで、操作履歴データベース１７０に登録された画像データを中央制御装置２３０に送信する。出力先設定データ７００、７００１に登録された入力元ＩＤ７２０及び出力先ＩＤ７３０ａがｍ００１である入出力装置２１０ａは、操作履歴データ表示４３０が更新される（ステップＳ５０５）。
【００８７】
実施の形態５のグラフィカルユーザインタフェース装置は、操作実施内容の具体的な説明文を表示することで、即座に操作内容を確認することができる。なお、文字情報は表形式を用いて表示しても構わない。文字情報を表形式にて表示することで、操作履歴を一覧表示することができる。
【００８８】
実施の形態２に示したように事故等が発生した場合にも、表示要素グルーピングデータ６０１の条件に応じて指差し確認した数値や関連機器の数値を履歴として残すことができる。
【００８９】
操作履歴データは、操作担当者８４０の一人及び監督者８５０の二名で共有するので、実施の形態３に示したように入出力装置２１０の故障したときなど緊急時には、他の画面にも操作履歴データ表示４３０を出力できる。具体的には、操作担当者８４０ａ及び作業監督者８５０ａ、操作担当者８４０ｂ及び作業監督者８５０ｂの四人態勢で作業を実施する際に、作業監督者８５０ａの画面が故障した場合には、操作担当者８４０ａの履歴を作業監督者８５０ｂの画面上に表示し、監督者作業監督者８５０ｂと作業監督者８５０ｂは画面を共有して確認することができる。
【００９０】
なお、操作履歴データ表示４３０と監視画面表示部３１０に表示される監視制御情報を同じ画面に表示した例で説明したが、履歴情報に関する専用の表示画面を設けても良い。
【００９１】
なお、実施の形態１乃至５では、プラント監視制御システムの操作員一人が一台の入出力装置２１０を操作する場合で説明したが、操作員一人あたり、二台以上の入出力装置２１０を扱う場合にも適用できる。また、切替えスイッチ部３３０が主画面表示部４１０の下側に表示される例で説明したが、主画面表示部４１０の上側や監視画面表示部３１０に表示されても構わない。
【産業上の利用可能性】
【００９２】
この発明に係るグラフィカルユーザインタフェース装置は、プラントの監視制御業務を行う際に利用する監視制御システムに好適に適用できる。
【符号の説明】
【００９３】
１１０    表示選択装置
１２０    表示要素グルーピングデータベース
１３０    表示制御装置
１４０    出力先設定データベース
１５０    スナップショット表示装置
１６０    スナップショットデータベース
１７０    操作履歴データベース          １８０    操作履歴表示装置
２１０    入出力装置                    ２１０ａ  入出力装置
２１０ｂ  入出力装置                    ２１０ｃ  入出力装置
６００    表示要素グルーピングデータ
６０１    表示要素グルーピングデータ
６２０    入力信号ＩＤ                  ６３０    表示要素ＩＤ
６３０ａ  表示要素ＩＤ                  ６３０ｂ  表示要素ＩＤ
６３０ｃ  表示要素ＩＤ                  ６３０ｄ  表示要素ＩＤ
６３０ｅ  表示要素ＩＤ                  ６３０ｆ  表示要素ＩＤ
６４０    表示要素グループ選択の条件データ
６４０ａ  表示要素グループ選択の条件データ
６４０ｂ  表示要素グループ選択の条件データ
７３０    出力先ＩＤ                    ７３０ａ  出力先ＩＤ
７３０ｂ  出力先ＩＤ                    ７３０ｃ  出力先ＩＤ
７４０    出力先グループ選択の条件データ
【図１】
2011040049.tif 000003
【図２】
2011040049.tif 000004
【図３】
2011040049.tif 000005
【図４】
2011040049.tif 000006
【図５】
2011040049.tif 000007
【図６】
2011040049.tif 000008
【図７】
2011040049.tif 000009
【図８】
2011040049.tif 000010
【図９】
2011040049.tif 000011
【図１０】
2011040049.tif 000012
【図１１】
2011040049.tif 000013
【図１２】
2011040049.tif 000014
【図１３】
2011040049.tif 000015
【図１４】
2011040049.tif 000016
【国際調査報告】
2011040049.tif 000017
2011040049.tif 000018
2011040049.tif 000019
2011040049.tif 000020